(57)【要約】【課題】室内の空調状況を表示することができる空気調和機の室内機を得る。【解決手段】空気調和機の室内機１００は、室内９００を撮像する室内撮像装置５０と、室内９００の熱画像を取得する熱画像検知装置６０と、演算により室内９００の空気流れを求めると共に、室内撮像装置５０が撮像した画像である可視画像の上に、演算により求めた空気流れおよび熱画像検知装置６０が取得した熱画像を重ねた画像である空調状況画像を作成する演算装置８０と、空調状況画像を経時的に記憶する記憶装置９０と、を有し、リモコン２００に設けられた見える化ボタン２２１が押されると、空調状況画像がリモコン２００に送信され、リモコン２００の表示部２４０に空調状況画像が時間を早めた動画によって表示される。【選択図】図８ｂ
2014102005.tif 000002
【特許請求の範囲】
【請求項１】
吸込口および吹出口がそれぞれ形成され、室内に設置される本体と、
前記吸込口から室内空気を吸い込んで、前記吹出口に至る風路を形成する送風機と、
前記風路に設置され、冷凍サイクルの一部を実行する熱交換器と、
前記吹出口に設置され、前記熱交換器において調和空気の吹き出し方向を調整する風向調整装置と、
前記室内を撮像する室内撮像装置と、
前記室内の熱画像を取得する熱画像検知装置と、
前記熱交換器、前記送風機および前記風向調整装置を制御する運転制御情報を、前記熱交換器、前記送風機および前記風向調整装置に送信する制御装置と、
前記運転制御情報に基づいて前記吹出口から吹き出された空気の流れを演算により求めると共に、前記室内撮像装置が撮像した画像である可視画像の上に、前記演算により求めた空気流れおよび前記熱画像検知装置が取得した温度分布を示す熱画像を重ねた画像である空調状況画像を作成する演算装置と、
前記空調状況画像を記憶する記憶装置と、
前記記憶装置が記憶している前記空調状況画像を受信して、前記受信した空調状況画像を表示する表示部を具備するリモコンと、を有し、
前記空調状況画像が予め設定された時間間隔毎に複数作成され、
前記複数の空調状況画像が、前記リモコンの表示部に動画によって表示されることを特徴とする空気調和機の室内機。
【請求項２】
前記熱画像が等温度線と、該等温度線同士の間に塗られた色彩または色彩の濃淡とによって示されることを特徴とする請求項１記載の空気調和機の室内機。
【請求項３】
前記空気流れが、流線を示す１または２以上の矢印、あるいは流線を示す実線、破線または点線によって示されることを特徴とする請求項１または２記載の空気調和機の室内機。
【請求項４】
前記リモコンに、前記記憶装置に記憶された複数の空調状況画像を送信させるための空調状況画像請求ボタンが設けられ、
該空調状況画像請求ボタンが押された際、至近の運転開始から前記空調状況画像請求ボタンが押されるまでの時間帯における前記空調状況画像が、前記リモコンに送信され、かつ、前記表示部に表示されることを特徴とする請求項１乃至３の何れか一項に記載の空気調和機の室内機。
【請求項５】
前記リモコンに、前記記憶装置に記憶された複数の空調状況画像を送信させるための空調状況画像請求ボタンと、前記表示部に表示する前記空調状況画像の実際の時間の長さである空調状況画像実際時間を設定する表示時間設定ボタンとが設けられ、
前記空調状況画像請求ボタンが押された際、前記表示時間設定ボタンによって予め設定された空調状況画像実際時間だけ遡った時刻から前記空調状況画像請求ボタンが押された時刻までの時間帯における前記空調状況画像が、前記リモコンに送信され、かつ、前記表示部に表示されることを特徴とする請求項１乃至３の何れか一項に記載の空気調和機の室内機。
【請求項６】
前記記憶装置に記憶するデータの上限である最大記憶容量が予め設定され、前記記憶装置は、それまでに記憶しているデータの量が前記最大記憶容量に達した場合、最も先に記憶されたデータを消去して、至近のデータを追加記憶することを特徴とする請求項１乃至５の何れか一項に記載の空気調和機の室内機。
【発明の詳細な説明】
【技術分野】
【０００１】
本発明は空気調和機、特に、運転状況を報知する報知手段を有する空気調和機の室内機に関するものである。
【背景技術】
【０００２】
従来、運転状況を報知する報知手段を有する空気調和機として、主に、省エネを志向したものであって、消費電力または電気料金を、空気調和機またはリモコンに設けた表示器に表示させるものが開示されている（例えば、特許文献１参照）。
【先行技術文献】
【特許文献】
【０００３】
【特許文献１】特開２００９−２９３９２０号公報（第３−４頁、図２）
【発明の概要】
【発明が解決しようとする課題】
【０００４】
特許文献１に開示された空気調和機は、消費電力又は電気料金を計測する計測手段を有し、リモコンの停止ボタンによって空気調和機の運転が停止された場合、計測手段によって計測された今回の運転開始から運転終了までの積算された消費電力又は電気料金を表示器に表示したり、運転中に、その瞬間の消費電力又は電気料金を表示したり、運転終了後に、過去の電気料金（前回の運転開始から運転終了までの電気料金）の経緯や過去の電気料金を積算した当月の総積算電気料金を表示したりするものであるため、以下のような問題があった。
すなわち、使用者は、消費電力又は電気料金の値の大小を知ることができるものの、消費電力又は電気料金の値が大きい場合、室内（空調空間）の空調状況がわからないため、快適性を維持した状態で、どのように省エネを図ればよいのか分からないという問題があった。
このため、冷房（または暖房運転）における消費電力又は電気料金の値が大きい場合に省エネを進めるには、単純に、設定温度を上げて（または下げて）少々暑くなる（寒くなる）ことを我慢する必要があるとされていた。また、局所的に過剰に冷房（または暖房）される範囲が存在しながら、使用者が居る範囲は冷房不足（または暖房不足）したり、使用者が居る範囲を含む過剰に広い範囲が冷房（または暖房）されることがあった。
【０００５】
本発明は、上記問題を解消するものであって、室内の空調状況を表示することができる空気調和機の室内機を得るものである。
【課題を解決するための手段】
【０００６】
本発明に係る空気調和機の室内機は、吸込口および吹出口がそれぞれ形成され、室内に設置される本体と、前記吸込口から室内空気を吸い込んで、前記吹出口に至る風路を形成する送風機と、前記風路に設置され、冷凍サイクルの一部を実行する熱交換器と、前記吹出口に設置され、前記熱交換器において調和空気の吹き出し方向を調整する風向調整装置と、前記室内を撮像する室内撮像装置と、前記室内の熱画像を取得する熱画像検知装置と、前記熱交換器、前記送風機および前記風向調整装置を制御する運転制御情報を、前記熱交換器、前記送風機および前記風向調整装置に送信する制御装置と、前記運転制御情報に基づいて前記吹出口から吹き出された空気の流れを演算により求めると共に、前記室内撮像装置が撮像した画像である可視画像の上に、前記演算により求めた空気流れおよび前記熱画像検知装置が取得した温度分布を示す熱画像を重ねた画像である空調状況画像を作成する演算装置と、前記空調状況画像を記憶する記憶装置と、前記記憶装置が記憶している前記空調状況画像を受信して、前記受信した空調状況画像を表示する表示部を具備するリモコンと、を有し、前記空調状況画像が予め設定された時間間隔毎に複数作成され、前記複数の空調状況画像が、前記リモコンの表示部に動画によって表示されることを特徴とする。
【発明の効果】
【０００７】
本発明に係る空気調和機の室内機は、空調状況画像が予め設定された時間間隔毎に複数作成され、複数の空調状況画像がリモコンの表示部に動画によって表示されるから、使用者は、室内の空調状況の推移（変化）を一目で把握することができる。
【図面の簡単な説明】
【０００８】
【図１】本発明の実施の形態１に係る空気調和機の室内機を説明する正面図。
【図２】図１に示す空気調和機の室内機の側面視の断面図。
【図３】図１に示す空気調和機の室内機の吹出口の周辺を抜き出して示す斜視図。
【図４】図１に示す空気調和機の室内機の制御装置の構成を示す構成図。
【図５】図１に示す空気調和機の室内機が有するリモコンの正面図。
【図６】図１に示す空気調和機の室内機の制御の流れを説明するフローチャート。
【図７】図１に示す空気調和機の室内機の制御の流れを説明するフローチャート。
【図８ａ】図５に示すリモコンの表示部に表示された空調状況画像（集中吹出による暖房運転）を説明する正面図。
【図８ｂ】図５に示すリモコンの表示部に表示された空調状況画像（集中吹出による暖房運転）を説明する正面図。
【図９ａ】図５に示すリモコンの表示部に表示された空調状況画像（集中吹出による暖房運転）を説明する正面図。
【図９ｂ】図５に示すリモコンの表示部に表示された空調状況画像（集中吹出による暖房運転）を説明する正面図。
【図１０ａ】図５に示すリモコンの表示部に表示された空調状況画像（分散吹出による暖房運転）を説明する正面図。
【図１０ｂ】図５に示すリモコンの表示部に表示された空調状況画像（分散吹出による暖房運転）を説明する正面図。
【図１１ａ】図５に示すリモコンの表示部に表示された空調状況画像（分散吹出による暖房運転）を説明する正面図。
【図１１ｂ】図５に示すリモコンの表示部に表示された空調状況画像（分散吹出による暖房運転）を説明する正面図。
【図１２】図５に示すリモコンの表示部に表示された空調状況画像の表示方式（暖房運転時に室内機に向かって見た空調状況画像）を説明する正面図。
【図１３】図５に示すリモコンの表示部に表示された空調状況画像の表示方式（暖房運転時に床面に向かって見た空調状況画像）を説明する正面図。
【図１４】図５に示すリモコンの表示部に表示された空調状況画像の表示方式（冷房運転時に室内機に向かって見た空調状況画像）を説明する正面図。
【図１５】図５に示すリモコンの表示部に表示された空調状況画像の表示方式（冷房運転時に床面に向かって見た空調状況画像）を説明する正面図。
【図１６】本発明の実施の形態２に係る空気調和機の室内機が有するリモコンの正面図。
【図１７】本発明の実施の形態２に係る空気調和機の室内機の制御の流れを説明するフローチャート。
【図１８ａ】図１６に示すリモコンの表示部に表示された空調状況画像の表示方式（集中吹出による冷房運転）を説明する正面図。
【図１８ｂ】図１６に示すリモコンの表示部に表示された空調状況画像の表示方式（集中吹出による冷房運転）を説明する正面図。
【図１９ａ】図１６に示すリモコンの表示部に表示された空調状況画像の表示方式（集中吹出による冷房運転）を説明する正面図。
【図１９ｂ】図１６に示すリモコンの表示部に表示された空調状況画像の表示方式（集中吹出による冷房運転）を説明する正面図。
【発明を実施するための形態】
【０００９】
［実施の形態１］
図１〜図５は、本発明の実施の形態１に係る空気調和機の室内機を説明するものであって、図１は正面図、図２は側面視の断面図、図３は一部（吹出口の周辺）を抜き出して示す斜視図、図４は制御装置の構成を示す構成図、図５はリモコンの正面図である。なお、各図は模式的に描いたものであって、本発明は図示された形態に限定するものではない。
【００１０】
（室内機）
図１および図２において、空気調和機の室内機（以下「室内機」と称す）１００は、室内９００の何れかの壁面（以下「設置壁面」と称す）９０１Ａに設置されたものであって、上部に吸込口３および下部に吹出口７が形成された本体１と、本体１の前面を開閉自在に覆う前面パネル２と、吸込口３から室内空気を吸い込んで、吹出口７に至る風路６を形成する送風機５と、送風機５の上流側（吸込口３寄り）に設置された熱交換器４とを有している。また、吹出口７に、熱交換器４において調和された空気（以下「調和空気」と称す）の吹き出し方向を調整する上下風向板９が設置されている。
さらに、本体１の前面には、室内９００を撮像する室内撮像装置５０と、室内９００の熱画像を取得する熱画像検知装置６０と、リモコン（ワイヤレスリモコンに同じ）２００の間で信号を交信（送信および受信）する本体交信装置４０と、が設置されている。
【００１１】
（熱交換器）
図２において、熱交換器４は、前面パネル２に略平行な部分である熱交換前部分４ａと、送風機５の前面寄り斜め上方の部分である熱交換上前部分４ｂと、送風機５の後面寄り斜め上方の部分である熱交換上後部分４ｃと、を具備している。そして、熱交換前部分４ａの下方にはドレンパン８が配置され、ドレンパン８の上面８ａが実際にドレンを受けるドレンパン面を形成し、ドレンパン８の下面８ｂが風路６の前面側を形成している。
【００１２】
（風向調整装置）
図２および図３において、風路の吹出口７に近い位置には、風向調整装置である、熱交換器４において調和された室内空気（以下、「調和空気」と称す）の水平方向（左右方向）の吹き出し方向を調整する左側左右風向板群１０Ｌと右側左右風向板群１０Ｒ（これらをまとめて又はそれぞれを「左右風向板１０」と称している）と、風路６の末端である吹出口７には、調和空気の鉛直方向（上下方向）の吹き出し方向を調整する上下風向板９（前上下風向板９ａおよび後上下風向板９ｂをまとめて「上下風向板９」と称している）とが設けられている。
なお、前記「左側」および「右側」とは、室内機１００から室内を見たとき、すなわち、本体１の背面側から前面パネル２の方向を見たときに、左手に見えるものを「左側」、右手に見えるものを「右側」と、それぞれ称している。
【００１３】
（上下風向板）
図２において、上下風向板９は水平方向に平行な回動中心を有し、本体１に回動自在に設置されている。前上下風向板９ａの回動軸および後上下風向板９ｂの回動軸はそれぞれリンク機構または歯車機構によって連結され、共通の駆動モーターによって回動される。
なお、本発明は、上下風向板９の形態を図示するものに限定するものではなく、前上下風向板９ａおよび後上下風向板９ｂをそれぞれ別個の駆動モーターによって回動してもよい。また、それぞれを左右方向の中央で分割して合計４枚にし、それぞれが別個に独立して回動するようにしてもよい。
【００１４】
（左右風向板）
図３において、右側左右風向板群１０Ｒは、左右風向板１０ａ、１０ｂ・・・１０ｇによって構成され、ドレンパン８の下面８ｂに回動自在に設置され、それぞれに右側連結棒２０Ｒが連結されている。また、左側左右風向板群１０Ｌは、左右風向板１０ｈ、１０ｉ・・・１０ｎによって構成され、それぞれに左側連結棒２０Ｌが連結されている。
そして、右側左右風向板群１０Ｒと右側連結棒２０Ｒとはリンク機構を形成し、また、左側左右風向板群１０Ｌと左側連結棒２０Ｌとはリンク機構を形成し、右側連結棒２０Ｒには右側駆動手段（図示しない）が、左側連結棒２０Ｌには左側駆動手段３０Ｌが、それぞれ連結されている。
したがって、右側連結棒２０Ｒが右側駆動手段によって平行移動された際、左右風向板１０ａ、１０ｂ・・・１０ｇは互いに平行を維持しながら回動し、左側連結棒２０Ｌが左側駆動手段３０Ｌによって平行移動された際、左右風向板１０ｈ、１０ｉ・・・１０ｎは互いに平行を維持しながら回動する。このため、調和空気を吹出口７の全幅に渡って同じ方向に吹き出したり、吹出口７の半幅毎で互いに離れる方向に吹き出したり、吹出口７の半幅毎で互いに衝突する方向に吹き出したりすることが可能になっている。
なお、本発明は、左右風向板１０の形態を図示するものに限定するものではなく、左右風向板１０の枚数は何れでもよく、また、左右風向板１０を３以上の群に分け、それぞれの群を連結棒に回動自在に接合し、それぞれの連結棒を独立に平行移動させるようにしてもよい。
【００１５】
（制御装置）
図４において、本体１内には、熱交換器４、送風機５、上下風向板９および左右風向板１０の運転を制御する運転制御情報を、熱交換器４、送風機５、上下風向板９および左右風向板１０に発信する制御装置７０と、制御装置７０が発信した運転制御情報および室内撮像装置５０が撮像した可視画像に基づいて吹出口７から吹き出された調和空気の流れ状況を演算により求めると共に、室内撮像装置５０が撮像した画像である可視画像の上に、演算により求めた空気流れおよび熱画像検知装置６０が取得した温度分布を示す熱画像を重ねた画像である「空調状況画像（これについては別途詳細に説明する）」を作成する演算装置８０と、演算装置８０が作成した空調状況画像を、経時的に記憶する記憶装置９０と、が設置されている。
すなわち、所定の時間（例えば、５秒）毎に、記憶装置９０には空調状況画像が記憶される。
【００１６】
以上のように、制御装置７０は、リモコン２００によって設定された空調条件に基づいて熱交換器４、送風機５、上下風向板９および左右風向板１０を運転制御すると共に、室内撮像装置５０が撮像した可視画像を演算装置８０に送り、また、熱画像検知装置６０が取得した熱画像を演算装置８０に送り、さらに、運転制御情報を演算装置８０に送り、演算装置８０が作成した空調状況画像（正確には「空調状況画像データ」）を記憶装置９０に送るものである。
なお、調和空気の温度を考慮しないで、調和空気の流れ状況を演算により求める場合は、前記制御情報から、熱交換器４の運転を制御する情報を削除するから、演算装置８０は、送風機５、上下風向板９および左右風向板１０の運転を制御する運転制御情報と、室内撮像装置５０が撮像した可視画像とに基づいて調和空気の流れ状況を演算により求めることになる。
【００１７】
（リモコン）
図５において、リモコン２００は、空調条件を設定して、当該空調条件に対応した信号を本体１（本体交信装置４０）に送信すると共に、本体１（本体交信装置４０）に空調状況画像の送信を請求して、これを受信するものである。
リモコン２００の表面には、使用者が、室内機１００の空調条件（調和空気の温度、調和空気の吹出方向および吹出強さ）を入力すると共に、運転の開始／停止を指示するための空調条件入力部２１０と、本体１に向けて、空調状況画像の送信を請求する空調状況画像請求部２２０と、空調条件入力部２１０において入力された空調条件、あるいは本体１（本体交信装置４０）から送信され、リモコン２００が受信した空調状況画像を表示する表示部２４０と、本体１（本体交信装置４０）との交信を可能にするリモコン交信部２３０と、を有している。
【００１８】
そして、空調条件入力部２１０には、暖房／冷房／乾燥を切り替える運転モード切換ボタン２１１と、運転開始／運転終了を指令する運転開始終了ボタン２１２と、調和空気の設定温度を昇降させる温度設定ボタン２１３と、調和空気の吹出方向および吹出強さを設定する吹出設定ボタン２１４と、が設けられている。
また、空調状況画像請求部２２０には、空調状況画像の送信を請求するための空調状況画像請求ボタン（以下「見える化ボタン」と称す）２２１と、空調状況画像の表示方式を変更する表示方式変更ボタン２２２と、空調状況画像を表示（再生）する表示速度（再生速度）を変更する表示速度変更ボタン２２３と、表示時刻を前にする（遡る）ための表示時刻戻りボタン２２４と、時間の進みを一時的に止めて、ある時刻の空調状況画像を長時間表示させる表示時刻固定ボタン２２５と、表示時刻をより最近にするための表示時刻進みボタン２２６と、が設けられている。
【００１９】
なお、以上は、本体１（記憶装置９０）からの送信を受信すると同時に（受信に同期して）、表示部２４０に空調状況画像が表示されるものであるが、本体１（記憶装置９０）から送信された空調状況画像を、一旦リモコン２００内に記憶して、リモコン２００内に記憶している空調状況画像を表示部２４０に表示するようにしてもよい。このとき、リモコン２００には、空調状況画像を一旦記憶するためのリモコン記憶装置（図示しない）、および、見える化ボタン（空調状況画像請求ボタン）２２１に追加して、表示部２４０における表示を開始するための空調状況画像表示ボタン（図示しない）を設ける。
なお、リモコン２００は、ワイヤレスリモコンであっても、ワイヤによって連結されていてもよいし、携帯情報端末（携帯電話、タブレット端末、スマートフォン）であってもよい。
【００２０】
（空調状況画像データの記憶）
図６および図７は、本発明の実施の形態１に係る空気調和機の室内機における、空調状況画像を表示する制御の流れを説明するフローチャートである。
図６および図７において、使用者がリモコン２００に設けられた空調条件入力部２１０を操作して空調条件を設定して（前回運転時の空調条件で今回も運転する場合は、設定しない）、運転開始を指令したとき（Ｓ１）、制御装置７０は、設定された空調条件になるよう、各機器に運転制御情報を送ると共に、運転を開始させる（Ｓ２）。
そして、運転を開始した後、それぞれ予め設定されたインターバル（例えば、１０秒毎）で、室内撮像装置５０は室内９００を撮像して可視画像を取得し、これを制御装置７０に送る（Ｓ３）。また、熱画像検知装置６０は室内９００の熱画像を取得し、これを制御装置７０に送る（Ｓ４）。そして、制御装置７０は、運転制御情報、可視画像および熱画像を演算装置８０に送る（Ｓ５）。
【００２１】
そこで、演算装置８０は、運転制御情報、可視画像および熱画像に基づいて、室内９００の空気流れ画像を演算し、可視画像に熱画像および空気流れ画像を重ねた空調状況画像（正確には空調状況画像データ）を作成し、空調状況画像データを制御装置７０に送る（Ｓ６）。
そして、制御装置７０は、空調状況画像データを記憶装置９０に送り（Ｓ７）、記憶装置９０は、それまで記憶しているデータの量が、予め設定された上限である最大記憶容量以下であるとき（Ｓ８）、送られた空調状況画像データを順次記憶してデータベースを作成する（Ｓ９）。
一方、それまで記憶しているデータの量が最大記憶容量に達した場合（Ｓ８）、最先の空調状況画像データを消去して、至近の空調状況画像データを追加して記憶する（Ｓ１０）。
そして、使用者（ユーザー）が、リモコン２００に設けられている見える化ボタン２２１を押すまで（Ｓ１１）、あるいは、使用者（ユーザー）が、リモコン２００に設けられている運転開始終了ボタン２１２を押すまで（Ｓ１５）、所定のインターバルで前記ステップ（Ｓ３〜Ｓ１０）が繰り返され、記憶装置９０には、各時刻毎の空調状況画像データが逐次追加され、データベースが作成される。
【００２２】
（空調状況画像の表示）
使用者（ユーザー）が、空調状況画像を知りたいとき、まず、リモコン２００に設けられている見える化ボタン２２１を押す（Ｓ１１）。なお、見える化ボタン２２１は、運転継続中に押されても、運転終了後に押されてもよい。
【００２３】
（運転継続中の空調状況画像の表示）
運転継続中に見える化ボタン２２１が押されると（Ｓ１１）、制御装置７０は、リモコンへの空調状況画像データの送信が請求されていると認識し、記憶装置９０が記憶している空調状況画像データをリモコン２００に送信する（Ｓ１２）。このとき、実際に記憶した際のインターバル（時間間隔）を、予め設定された割合で短縮した（例えば、１／５０に短縮した）高速で送信する。そして、リモコン２００は空調状況画像データを受信すると、空調状況画像を表示部２４０に表示する（Ｓ１３）。
さらに、制御装置７０は、記憶装置９０がそれまで記憶している空調状況画像データを全て消去させる（Ｓ１４）と共に、それぞれ予め設定されたインターバル（例えば、１０秒毎）で、室内撮像装置５０は室内９００を撮像して可視画像を取得し、これを制御装置７０に送る（Ｓ３）以降のステップの実行を再開する（Ｓ３に戻る）。
したがって、記憶装置９０には、一旦、空調状況画像を表示した後の、空調状況画像データが記憶されていく。
【００２４】
見える化ボタン２２１が押されないで（Ｓ１１）、しかも、運転開始終了ボタン２１２も押されない（Ｓ１５）場合は、室内機１００（冷凍サイクル等）の運転は継続しているから、それぞれ予め設定されたインターバル（例えば、１０秒毎）で、室内撮像装置５０は室内９００を撮像して可視画像を取得し、これを制御装置７０に送る（Ｓ３）以降のステップの実行を再開する（Ｓ３に戻る）。
【００２５】
（運転終了後）
一方、運転開始終了ボタン２１２が押された（Ｓ１５）場合、予め設定されたデータ表示請求時間（例えば、運転開始終了ボタン２１２も押されてから３時間）が経過するまで（Ｓ１６）は、それぞれ予め設定されたインターバル（例えば、１０秒毎）で、室内撮像装置５０は室内９００を撮像して可視画像を取得し、これを制御装置７０に送る（Ｓ１７）。また、熱画像検知装置６０は室内９００の熱画像を取得し、これを制御装置７０に送る（Ｓ１８）。そして、制御装置７０は、可視画像および熱画像を演算装置８０に送る（Ｓ１９）。
そこで、演算装置８０は、可視画像に熱画像を重ねた空調状況画像（正確には空調状況画像データ）を作成し、空調状況画像データを制御装置７０に送る（Ｓ２０）。さらに、使用者によって再度、運転開始終了ボタン２１２が押されない限り（Ｓ２１）、運転継続中と同様に、制御装置７０は、空調状況画像データを記憶装置９０に送る（Ｓ７）。
【００２６】
（制御の終了）
さらに、運転開始終了ボタン２１２が押された（Ｓ１５）後、表示請求時間が経過した場合（Ｓ１６）、あるいは、運転開始終了ボタン２１２も押された（Ｓ１２）後、見える化ボタン２２１が押されないまま、表示請求時間が経過する前に運転が再開された場合（Ｓ２１）、使用者は、それまでの空調状況画像を知りたいという要求がないと判断して、制御装置７０は、室内撮像装置５０による室内９００の撮像を停止させ（Ｓ２５）、また、熱画像検知装置６０による室内９００の熱画像の取得を停止させ（Ｓ２６）、記憶装置９０に記憶している空調状況画像データの全てを消去させ（Ｓ２７）、制御を終了する（ＥＮＤ）。
したがって、運転終了後であっても、表示請求時間が経過する前は、新たな空調状況画像データが逐次追加され、空調状況画像データの量が最大記憶容量に達したときは、最先の空調状況画像データから逐次消去される。
一方、表示請求時間が経過した時、あるいは、表示請求時間が経過する前に運転が再開された時は、記憶装置９０が記憶していた空調状況画像データは全て消去されるから、運転が再開されたときは、記憶装置９０は空調状況画像データを全く記憶していない。
【００２７】
なお、前記ステップ（Ｓ３〜Ｓ６）を実行中に、使用者がリモコン２００に設けられた空調条件入力部２１０を操作して空調条件を変更した場合には、変更後の空調条件になるように、各機器に変更後の運転制御情報が送られる。
以上は、本体１（記憶装置９０）から送信された空調状況画像データの受信と、空調状況画像の表示とが同期しているが、本発明はこれに限定するものではなく、記憶装置９０が記憶している空調状況画像データの全てを、本体１（記憶装置９０）からリモコン２００に一気に送信し、リモコン２００は、一旦、これをリモコン内に記憶して、リモコン２００内に記憶している空調状況画像データに対応した空調状況画像を逐次、時間を短縮した形で表示部２４０に表示するようにしてもよい。
また、リモコン２００は、空調条件入力部２１０および空調状況画像請求部２２０を具備するものを示しているが、本発明はこれに限定するものではなく、表示部２４０をタッチパネル式にして、空調条件入力部２１０および空調状況画像請求部２２０を撤去すると共に、表示部２４０に空調条件入力部２１０および空調状況画像請求部２２０に相当する各ボタンを表示して、空調条件入力部２１０および空調状況画像請求部２２０の機能を発揮させるようにしてもよい。
【００２８】
（空調状況画像の例−１）
図８および図９は、本発明の実施の形態１に係る空気調和機の室内機における、空調状況画像を説明するものであって、集中（スポット）吹出によって暖房運転を実行した場合のリモコンの表示部の正面図である。
なお、図８および図９は、至近の運転開始から、該運転が停止されるまでに記憶装置９０が記憶していた空調状況画像を表示するものであって、空調状況画像が経時的に変化することを模式的に説明している。なお、空調状況画像は、室内９００の大きさや、調和空気の吹出量や吹出強さ（吹出速度）によって、大きく変動するものであるから、実際の空調状況が、図示された形態の空調状況画像と一致しない場合もある。
【００２９】
図８ａにおいて、表示部２４０には、室内撮像装置５０が撮像した可視画像に、熱画像検知装置６０が取得した熱画像および演算装置８０が演算した空気流れ画像とが重なっている空調状況画像が表示されている。
表示部２４０の上辺に沿って水平に、運転開始時刻、運転終了時刻および現在時刻を示す帯状の時間バー２５０が示され、運転開始時刻（１８：３０）から運転終了時刻（２０：００）の間が色分けされ、表示時刻が表示時刻枠２６０と、時間バー２５０の表示時刻に相当する位置に表示時刻カーソル（例えば、矢印）２７０が示されている。
また、表示部２４０の一方の辺に沿って垂直に、温度範囲を示す帯状の温度バー２８０が示され、高温範囲２８１（例えば、２０℃以上）、中温範囲２８２（例えば、１５〜２０℃）、および低温範囲２８３（例えば、１５〜１０℃）が、それぞれ色彩または模様（ハッチングや梨地）によって区分けされている。
そして、温度バー２８０よりも上に、運転モードを示す運転モード枠２９０に「暖房運転」と表示されている。
【００３０】
そして、可視画像として、室内機１００が対向する対向壁面９０１Ｃと室内機１００から見て左側の左壁面９０１Ｌとの境界が垂直線９０２Ｌで示され、対向壁面９０１Ｃと室内機１００から見て右側の右壁面９０１Ｒとの境界が垂直線９０２Ｒで示され、床面９０３と対向壁面９０１Ｃとの境界が水平線９０４Ｃで示され、床面９０３と左壁面９０１Ｌとの境界が傾斜線９０４Ｌで示され、床面９０３と右壁面９０１Ｒとの境界が傾斜線９０４Ｒで示されている。
【００３１】
また、床面９０３の熱分布を示す熱画像が、等温線の間を示す略円状ないし環状の範囲６１、６２、６３を塗りつぶす色彩または模様によって示されて、空気流れ画像が矢印７１によって示されている。
すなわち、運転開始（１８：３０）から１０分が経過した表示時刻（１８：４０）における、調和空気の吹出目標地点に相当する位置（矢印７１の先端７２に相当する位置）を中心に、略円形の高温範囲６１と、高温範囲６１を取り囲む環状の中温範囲６２と、中温範囲６２を取り囲む環状の低温範囲６３とが、表示されている。
このとき、暖房開始からの時間が短いため、高温範囲６１は狭く、中温範囲６２の広がりも少ない。
【００３２】
図８ｂにおいて、表示時刻が１９：００になっているから、暖房開始から３０分が経過している。このとき、表示時刻１８：４０の場合と比較して、高温範囲６１の広がりの拡大が顕著で、中温範囲６２も拡大している。
【００３３】
図９ａにおいて、表示時刻が２０：００になっているから、暖房開始から９０分が経過している。このとき、表示時刻１９：００の場合と比較して、高温範囲６１および中温範囲６２の拡大が顕著で、床面９０３のみならず、左壁面９０１Ｌおよび対向壁面９０１Ｃの床面９０３に近い範囲にまで、拡大している。
【００３４】
図９ｂにおいて、表示時刻が２０：３０であって、暖房終了（２０：００）から３０分が経過しているから、空気流れを示す矢印７１は表示されない。しかし、床面９０３等は熱慣性を有する（温熱を蓄積している）ことによって、床面９０３が急激に冷却されることはなく、それぞれの範囲が狭くなるものの、高温範囲６１および中温範囲６２が存在している。
【００３５】
以上のように、リモコン２００の表示部２４０には、時間を追って空調状況画像が動画として表示されるから、使用者は、室内９００の空調状況を視覚を通して知ることができる。
したがって、使用者は暖房が不充分であると感じて、設定温度を高くした場合であっても、実際は、調和空気の吹出方向の設定が適正でなかったり、あるいは、家具類によって空調空気の流れが妨げられていたりして、使用者が高温範囲６１でない範囲に居ただけであったようなことに気づくことができる。したがって、使用者は、次回または以降の運転時には、自分の位置が高温範囲６１になるように、調和空気の吹出方向を設定したり、あるいは、家具類の配置を変えて空調空気の流れが妨げられないようにしたりして、設定温度を高くすることなく、快適な暖房環境を得ることができるから、省エネ運転を推進することが可能になる。
【００３６】
なお、以上は、予め設定された表示速度で表示されるものであるが、表示時刻固定ボタン２２５を押して一時的に静止画にし、再度、表示時刻固定ボタン２２５を押して動画に戻したり、表示時刻戻りボタン２２４を押している間、表示時刻カーソル２７０を運転開示時刻の方向に移動して、繰返し動画を表示させたり、あるいは、表示時刻進みボタン２２６を押している間、表示時刻カーソル２７０を現在時刻の方向に移動して、一部を飛ばして所定の時刻における動画を表示させたりすることができる。
また、表示速度は、表示速度変更ボタン２２３を押すことによって変更することができる。例えば、実際の時間に対する表示する時間の割合（短縮率）を、表示速度変更ボタン２２３を１回押す毎に順番に、１／２５、１／５０、１／１００、１／２５・・・に設定される。なお、ボタンに変えて、ダイヤルにしてもよい。
なお、表示方式変更ボタン２２２は、図７および図８に示すような室内機１００から室内９００を見た通りの画像や、対向壁面９０１Ｃから室内機１００を見た場合の画像や、室内９００を上から見た場合の画像を選択したり、それぞれの画像において、使用人の位置を図形で表示したりすることを選択することを可能にするものである（これについては、別途詳細に説明する）。
【００３７】
（空気流れの表示）
以上は、空気流れを矢印７１によって示し、その先端７２が空気流れの方向を示し、矢印７１を縁採る実線の太さ（または濃淡）によって空気流れの強弱を示している。すなわち、矢印７１を縁採る実線を太（幅が広い、または濃い色彩）くして強風を、細（幅の狭い、または薄い色彩）くして弱風を示している。なお、本発明において、色彩とは無彩色および有彩色の何れかを意味している。
さらに、本発明は、空気流れを１つの矢印７１によって描くものに限定するものではなく、空気流れを複数の流線によって描き、それぞれの流線の先端に矢印を付して、空気流れの方向を示すと共に、流線の間隔（流線の数）を変更して、あるいは、流線の間隔（流線の数）は一定にして、流線の太さ（幅）や流線の濃淡によって空気流れの強さを示してもよい。このとき、流線を実線、破線、点線の何れによって描いてもよい。さらに、熱分布を示す熱画像との関係において、空気流れの方向が明らかな場合は、流線の先端に付した矢印の記載を省略してもよい。
【００３８】
（空調状況画像の例−２）
図１０および図１１は、本発明の実施の形態１に係る空気調和機の室内機における、空調状況画像を説明するものであって、分散（スイング）吹出によって暖房運転を実行した場合のリモコンの表示部の正面図である。
なお、図１０および図１１は、至近の暖房運転における運転開始から、該運転が停止されるまでの空調状況画像が記憶装置９０に記憶され、これを表示するものである。また、図８および図９と同じ部分にはこれと同じ符号を付し、一部の説明を省略する。
【００３９】
図１０ａにおいて、運転開始（１８：３０）から１０分が経過した表示時刻（１８：４０）における、調和空気は分散吹出によって、吹出目標地点に広がることから、調和空気の空気流れを示す矢印７１の先端７２は一点ではなく、所定の広さの範囲に及んでいる（動画における特定時刻の矢印７１を表示しているため、矢印７１は１個になっているが、仮に、特定時刻の前の矢印７１を薄くし、特定時刻の矢印７１を濃く表示すると、薄く表示された矢印７１と濃く表示された矢印とが、ずれた状態で表示される）。
このため、瞬間的に矢印７１の先端７２に相当する位置を含む広がりを持った範囲に、略円形の中温範囲６２が表示され、中温範囲６２を取り囲むように環状の低温範囲６３が表示されている。
このとき、暖房開始からの時間が短いとはいえ、集中吹出（図７ａ）の場合には、狭いながら高温範囲６１が表示されていたのに対し、スイング（分散）吹出では高温範囲６１が形成されないことが分かる。
【００４０】
図１０ｂにおいて、表示時刻が１９：００になっているから、暖房開始から３０分が経過している。このとき、高温範囲６１が形成され、表示時刻１８：４０の場合と比較して、中温範囲６２も拡大している。
【００４１】
図１１ａにおいて、表示時刻が２０：００になっているから、暖房開始から９０分が経過している。このとき、表示時刻１９：００の場合と比較して、高温範囲６１および中温範囲６２が床面９０３において顕著に拡大しているが、高温範囲６１および中温範囲６２が左壁面９０１Ｌおよび対向壁面９０１Ｃの床面９０３に近い範囲にまで拡大していない（集中吹出（図８ａ）では、拡大している）。
【００４２】
図１１ｂにおいて、表示時刻が２０：３０であって、暖房終了（２０：００）から３０分が経過しているから、空気流れを示す矢印７１は表示されない。しかし、床面９０３等は熱慣性を有する（温熱を蓄積している）ことによって、床面９０３が急激に冷却されることはなく、中温範囲６２および低温範囲６３が残っているものの、局所的に高温に加熱されることがなかったことから、高温範囲６１が消えている。
【００４３】
以上のように、リモコン２００の表示部２４０には、時間を追って空調状況画像が動画によって表示されるから、使用者は、室内９００の空調状況を視覚を通して知ることができる。
したがって、使用者が暖房が不充分であると感じて、設定温度を高くした場合であっても、実際は、調和空気の吹出方向の設定が適正でなかったり、あるいは、家具類によって空調空気の流れが妨げられていたりして、使用者が高温範囲６１でない範囲に居ただけであったようなことに気づくことができる。したがって、使用者は、次回または以降の運転時には、自分の位置が高温範囲６１になるように、調和空気の吹出方向を設定したり、あるいは、家具類の配置を変えて空調空気の流れが妨げられないようにしたり、さらに、高温範囲６１に移動したりして、設定温度を高くすることなく、快適な暖房環境を得ることができるから、省エネ運転を推進することが可能になる。
【００４４】
すなわち、暖房または冷房される範囲が、極端に狭い範囲に限定され、暖房または冷房の行き渡らない範囲があったり、反対に、過剰に広い範囲が無駄に暖房または冷房されていたり、使用者の居た位置が空気流れから離れていたりしたようなことが、分かる。そのため、例えば、風向調整装置の調整を工夫するきっかけや、室内の家具類の設置位置を見直すきっかけ、あるいは使用者（ユーザー）が居るべき好適な位置を知るきっかけになる。
したがって、無駄な空調をすることなく快適な空調環境を得る指針が得られるため、快適な空調環境を維持したままで省エネを促進することができる。
また、以上は、暖房運転時におけるものを例示しているが、冷房運転においても同様な空調状況画像が動画によって表示されるから、使用者は、室内９００の空調状況を視覚を通して知ることができ、省エネ運転を推移することが可能になる。
【００４５】
なお、以上は、予め設定された表示速度で表示されるものであるが、表示時刻固定ボタン２２５を押して一時的に静止画にし、再度、表示時刻固定ボタン２２５を押して動画に戻したり、表示時刻戻りボタン２２４を押している間、表示時刻カーソル２７０を運転開示時刻の方向に移動して、繰返し動画を表示させたり、あるいは、表示時刻進みボタン２２６を押している間、表示時刻カーソル２７０を現在時刻の方向に移動して、一部を飛ばして所定の時刻における動画を表示させたりすることができる。
また、表示速度は、表示速度変更ボタン２２３を押すことによって変更することができる。例えば、実際の時間に対する表示する時間の割合（短縮率）を、表示速度変更ボタン２２３を１回押す毎に順番に、１／２５、１／５０、１／１００、１／２５・・・に設定される。なお、ボタンに変えて、ダイヤルにしてもよい。
なお、表示方式変更ボタン２２２は、図７および図８に示すように、室内機１００から室内９００を見た通りの映像にしたり、対向壁面９０１Ｃから室内機１００を見た場合の映像にしたり、室内９００を上から見た場合の映像にしたり、それぞれの映像において、使用人の位置を図形で表示したりすることを、選択するものである（これについては、別途詳細に説明する）。
【００４６】
（空調状況画像の表示方式）
図１２〜図１５は、本発明の実施の形態１に係る空気調和機の室内機におけるリモコンの表示部に表示される空調状況画像の表示方式を説明するためのリモコンの表示部の正面図であって、図１２は暖房運転時に室内機に向かって見た空調状況画像、図１３は暖房運転時に床面に向かって見た空調状況画像、図１４は冷房運転時に室内機に向かって見た空調状況画像、図１５は冷房運転時に床面に向かって見た空調状況画像である。なお、図８〜図１１と同じ部分または相当する部分には同じ符号を付し、一部の説明を省略する。
なお、図８〜図１１は、室内機１００（設置壁面９０１Ａ）から室内９００を見た空調状況画像であるが、図１２等への表示方式の切換は、表示方式変更ボタン２２２を押すことによって行う。
【００４７】
図１２は、暖房運転時に対向壁面９０１Ｃ側から室内機１００（設置壁面９０１Ａ）方向を見た空調状況画像である。時間バー２５０、表示時刻枠２６０、表示時刻カーソル２７０、温度バー２８０、および運転モード枠２９０は、図８および図９に同じであるから、説明を省略する。
なお、室内撮像装置５０が撮像した可視画像には、室内機１００および設置壁面９０１Ａが写っていないため、室内機１００を設置する際に、室内機１００の設置位置情報が予め入力されている。したがって、室内撮像装置５０が撮像した可視画像と室内機１００の設置位置情報とに基づいて、演算装置８０は、室内機１００が設置されている設置壁面９０１Ａと室内機１００から見て左側の左壁面９０１Ｌとの境界である垂直線９０５Ｌ、設置壁面９０１Ａと室内機１００から見て右側の右壁面９０１Ｒとの境界である垂直線９０５Ｒ、および床面９０３と設置壁面９０１Ａとの境界である水平線９０４Ａを演算によって決定している。
【００４８】
また、室内撮像装置５０が撮像した可視画像は、対向壁面９０１Ｃに向かって見たものであるため、対向壁面９０１Ｃ側から室内撮像装置５０自身に向かって見た画像に反転されている。そして、使用者の姿が人物マーク５１によって表示されている。なお、使用者が移動した場合には、人物マーク５１の位置も変動し、使用者が複数人の場合は、複数の人物マーク５１が表示される。
なお、図８〜図１１においても、表示方式変更ボタン２２２を操作することによって、人物マーク５１を表示させることができる。
【００４９】
暖房運転継続中に見える化ボタン２２１が押された場合の床面９０３の熱分布を示す熱画像が、等温線の間を示す略円状ないし環状の範囲６１、６２、６３を塗りつぶす色彩または模様によって示されて、空気流れ画像が矢印７１によって示されている。
すなわち、運転開始（１８：３０）から２時間が経過した表示時刻（２０：３０）における、調和空気の吹出目標地点に相当する位置（矢印７１の先端７２に相当する位置）を中心に、略円形の高温範囲６１と、高温範囲６１を取り囲む環状の中温範囲６２と、中温範囲６２を取り囲む環状の低温範囲６３とが、表示されている。
したがって、使用者は、自分が室内機１００を見て、自分の背中を見られた状態で、自分がどのような空調状況に居るのかを知ることができるから、無駄のない空調条件を設定したり、自分が移動したりすることによって、快適な空調環境を得ることができると共に、省エネを推進することができる。
【００５０】
図１３は、図１２に表示した空調状況画像を、床面９０３に向かって鉛直上方から見た空調状況画像にして表示したものであるから、図１２と同じ内容についての説明を省略する。なお、図１３には、人物マーク５１が表示されていないが、表示方式変更ボタン２２２を操作することによって、人物マーク５１を表示させることができる。
図１３は、床面９０３を直接真上から見た図に相当しているから、高温範囲６１、中温範囲６２、低温範囲６３、あるいは、空気流れ画像が矢印７１の状況（状況の変化）を、距離感覚を踏まえて知ることができるから、図１２の表示と同様に、快適な空調環境を得ることができると共に、省エネを推進することができる。
【００５１】
図１４は、冷房運転時に対向壁面９０１Ｃ側から室内機１００（設置壁面９０１Ａ）方向を見た空調状況画像である。時間バー２５０、表示時刻枠２６０、表示時刻カーソル２７０は、暖房運転時を示す図１２および図１３に同じであるが、温度バー２８０は、暖房運転時を示す図１２および図１３と相違している。
すなわち、温度バー２８０は、高温範囲２８６（例えば、２８〜３３℃）、中温範囲２８５（例えば、２３〜２８℃）、および低温範囲２８４（例えば、２３℃以下）が、それぞれ色彩または模様（ハッチングや梨地）によって区分けされている。
そして、図１２および図１３と同様に、演算装置８０は、垂直線９０５Ｌ、垂直線９０５Ｒおよび水平線９０４Ａを演算によって決定している。
また、室内撮像装置５０が撮像した可視画像は、対向壁面９０１Ｃに向かって見たものであるため、対向壁面９０１Ｃ側から室内撮像装置５０自身に向かって見た画像に反転されている。そして、使用者の姿が人物マーク５１によって表示されている。なお、使用者が移動した場合には、人物マーク５１の位置も変動し、使用者が複数人の場合は、複数の人物マーク５１が表示される。
なお、図８〜図１１においても、表示方式変更ボタン２２２を操作することによって、人物マーク５１を表示させることができる。
【００５２】
冷房運転継続中に見える化ボタン２２１が押された場合の床面９０３の熱分布を示す熱画像が、等温線の間を示す略円状ないし環状の範囲６４、６５、６６を塗りつぶす色彩または模様によって示されて、空気流れ画像が矢印７３によって示されている。
すなわち、運転開始（１８：３０）から２時間が経過した表示時刻（２０：３０）における、調和空気の吹出目標地点に相当する位置（矢印７３の先端７４に相当する位置）を中心に、略円形の低温範囲６４と、低温範囲６４を取り囲む環状の中温範囲６５と、中温範囲６５を取り囲む環状の高温範囲６６とが、表示されている。
したがって、使用者は、自分が室内機１００を見て、自分の背中を見られた状態で、自分がどのような空調状況に居るのかを知ることができるから、無駄のない空調条件を設定したり、自分が移動したりすることによって、快適な空調環境を得ることができると共に、省エネを推進することができる。
【００５３】
図１５は、図１４に表示した空調状況画像を、床面９０３に向かって鉛直上方から見た空調状況画像にして表示したものであるから、図１４と同じ内容についての説明を省略する。なお、図１５には、人物マーク５１が表示されていないが、表示方式変更ボタン２２２を操作することによって、人物マーク５１を表示させることができる。
図１５は、床面９０３を直接真上から見た図に相当しているから、高温範囲６１、中温範囲６２、低温範囲６３、あるいは、空気流れ画像が矢印７１の状況（状況の変化）を、距離感覚を踏まえて知ることができるから、図１４の表示と同様に、快適な空調環境を得ることができると共に、省エネを推進することができる。
【００５４】
［実施の形態２］
図１６〜図１９は、本発明の実施の形態２に係る空気調和機の室内機を説明するものであって、図１６はリモコンの正面図、図１７は、空調状況画像を表示する制御の流れを説明するフローチャートの一部、図１８および図１９は、空調状況画像を説明するものであって、集中（スポット）吹出によって冷房運転を実行した場合のリモコンの表示部の正面図である。なお、実施の形態１と同じ部分にはこれと同じ符号を付し、一部の説明を省略する。また、各図は模式的に描いたものであって、本発明は図示された形態に限定するものではない。
【００５５】
（リモコン）
図１６において、空気調和機の室内機（以下「室内機」と称す）３００が有するリモコン（以下「リモコン」と称す）４００は、空調状況画像の送信を請求する空調状況画像請求部２２０に、表示部２４０に表示する空調状況画像の実際の時間の長さである空調状況画像実際時間（以下、「画像実際時間」と称す）を設定する表示時間設定ボタン２２７が設けられている。したがって、表示時間設定ボタン２２７を操作することによって、現在時刻から設定された画像実際時間（例えば、６時間または１２時間等）だけ遡った時刻から現在時刻までの空調状況画像を表示することができる。したがって、今回の運転時だけでなく、前回あるいは前前回の運転時の空調状況画像を、リモコン４００の表示部２４０に表示することが可能になっている。
このとき、制御装置７０は、設定された画像実際時間に対応した記憶装置９０が記憶する最大記憶容量（空調状況画像の数に相当する）を算定する。
【００５６】
（制御のフロー）
図１７において、制御のフローは室内機１００（実施の形態１）と原則同じである。
すなわち、室内機１００は、運転が再開された際（Ｓ２１）、記憶装置９０が記憶している空調状況画像が全て消去される（Ｓ２４）のに対し、室内機３００は、運転が再開された場合（Ｓ２１）でも、最大記憶容量に達するまでは、記憶装置９０に空調状況画像データが記憶される。すなわち、運転が再開された場合（Ｓ２１）、それぞれ予め設定されたインターバル（例えば、１０秒毎）で、室内撮像装置５０は室内９００を撮像して可視画像を取得し、これを制御装置７０に送るステップ（図６のＳ３）に戻り、これ以降のステップを実行する。
したがって、室内機１００では、表示部２４０には、今回の運転における空調状況画像が表示されるのに対し、室内機３００では、画像実際時間内である限り、前回あるいは前前回の運転における空調状況画像も、今回の運転における空調状況画像が表示される前に表示される。
【００５７】
（空調状況画像の例−３）
図１８および図１９は、室内機３００が、集中（スポット）吹出で冷房運転をしている場合の、リモコン４００の表示部２４０の正面図であって、調和空気が室内機３００（手前にあるため図示されない）から細水平方向に吹き出されている。
図１８ａにおいて、表示部２４０には、暖房運転（図８および図９）の場合と同様に、帯状の時間バー２５０と、表示時刻カーソル２７０（例えば、矢印）と、帯状の温度バー２８０と、運転モード枠２９０とが表示されている。
画像実際時間が６時間に設定された場合であって、時間バー２５０には、現在時刻（２０：３０）が表示されると共に、現在時刻（２０：３０）を５時間だけ遡る時刻である１５：３０分以降における前回の運転開始時刻（１５：００）から前回の運転終了時刻（１６：００）との間と、今回の運転開始時刻（１６：３０）から今回の運転終了時刻（１９：００）との間とが着色（色分け）され、これを除く時間帯（１６：００〜１６：３０および１９：００〜２０：３０）が無色（色分け）されているから、運転されていないことが一目で分かるようになっている。
【００５８】
そして、表示時刻（１５：１０）に対応した時間バー２５０の位置に、カーソル（矢印）２７０が表示され、カーソル（矢印）２７０は、設定されている表示（再生）速度で、移動する。なお、表示時刻は、表示時刻戻りボタン２２４や表示時刻進みボタン２２６を操作することによって変更することができるから、カーソル（矢印）２７０を移動することができ、所望の時刻における空調状況画像を表示させることができる。また、表示時刻固定ボタン２２５を押すことによって、空調状況画像を静止画にして見ることができる（室内機１００に同じ）。
また、冷房運転であるため、温度バー２８０には、高温範囲２８６（例えば、２８〜３３℃）、中温範囲２８５（例えば、２３〜２８℃）、および低温範囲２８４（例えば、２３℃以下）が、それぞれ色彩または模様（ハッチングや梨地）によって区分けされている。
【００５９】
床面９０３の熱分布を示す熱画像が、等温線の間を示す略円状ないし環状の範囲６１、６２、６３を塗りつぶす色彩または模様によって示されて、空気流れ画像が矢印７１によって示されている。
運転開始（１５：００）から１０分が経過した表示時刻（１５：１０）における、調和空気の吹出目標地点に相当する位置（矢印７３の先端７４に相当する位置）を中心に、床面９０３には、略円形の低温範囲６４と、低温範囲６４を取り囲む環状の中温範囲６５とが表示されている。このとき、冷房開始からの時間が短いため、冷房は床面９０３の限られた範囲を冷却するだけであって、中温範囲６５の周囲は、冷房開示時における３３℃以上の温度になっている。
【００６０】
図１８ｂにおいて、表示時刻が１６：００になっているから、冷房開始から６０分が経過している。このとき、表示時刻１５：１０（１０分経過後）の場合と比較して、低温範囲６４および中温範囲６５が拡大し、中温範囲６５の周囲に高温範囲６６が現れている。
【００６１】
図１９ａにおいて、表示時刻が１８：３０になっているから、前回の冷房運転（１時間）を終了した後、３０分の運転を停止し、今回の冷房運転を再開してから１０分後の空調状況を表示している。
すなわち、今回の冷房運転を再開してから１０分が経過しただけであるが、前回の冷房運転において床面９０３は冷却され、熱慣性を有しているため、前回の冷房運転を開始して１０分後の空調状況（図１２ａ）と比較して、冷房範囲は広がっている。すなわち、低温範囲６４および中温範囲６５はより広く、中温範囲６５の周囲に高温範囲６６が現れている。
【００６２】
図１９ｂにおいて、表示時刻が１９：００になっているから、今回の冷房運転を開始してから２時間３０分が経過しているため、床面９０３は広い範囲が冷却され、十分に広い低温範囲６４が表示され、低温範囲６４の周囲に中温範囲６５と、中温範囲６５の周囲に高温範囲６６とが、それぞれ表示され、冷却されない（冷却が顕在化しない）３３℃超えの範囲は、床面９０３の一部に限られている。
【００６３】
以上のように、リモコン４００の表示部２４０には、今回の冷房運転時だけでなく、前回の冷房運転時における空調状況画像が、時間を追って動画によって表示される。このため、使用者は、室内９００の空調状況を視覚を通して知ることができる。室内機１００（実施の形態１）と同様に、調和空気の設定温度や吹出方向の設定が適正でなかったり、あるいは、家具類の配置が不適正であったこと等に気づくことができる。
特に、前回または前前回等の冷房運転における空調状況画像の推移や、冷房運転中断における空調状況画像の推移を知ることができるから、運転再開時の調整要領や、冷房運転中断における対応（例えば、冷房運転を再開しなくて冷却された範囲が散在する等）についての知見を得ることができる。
よって、設定温度を低くすることなく、あるいは、冷房中断時間を延長して、快適な冷房環境を得ることができるから、省エネ運転を推進することが可能になる。なお、前記のように、表示部２４０の表示方式は、表示方式変更ボタン２２２を操作することによって変更することができる（図１４および図１５参照）。
また、以上は、冷房運転時におけるものを例示しているが、暖房運転においても同様な空調状況画像が動画によって表示されることができ、同様の作用効果を得ることができる。
【符号の説明】
【００６４】
１  本体、２  前面パネル、３  吸込口、４  熱交換器、４ａ  熱交換前部分、４ｂ  熱交換上前部分、４ｃ  熱交換上後部分、５  送風機、６  風路、７  吹出口、８  ドレンパン、８ａ  上面、８ｂ  下面、９  上下風向板、９ａ  前上下風向板、９ｂ  後上下風向板、１０  左右風向板、１０Ｌ  左側左右風向板群、１０Ｒ  右側左右風向板群、１０ａ  左右風向板、１０ｈ  左右風向板、２０Ｌ  左側連結棒、２０Ｒ  右側連結棒、３０Ｌ  左側駆動手段、４０  本体交信装置、５０  室内撮像装置、５１  人物マーク、６０  熱画像検知装置、６１  高温範囲、６２  中温範囲、６３  低温範囲、６４  低温範囲、６５  中温範囲、６６  高温範囲、７０  制御装置、７１  矢印、７２  先端、７３    矢印、７４  先端、８０  演算装置、９０  記憶装置、１００  室内機（実施の形態１）、２００  リモコン（実施の形態１）、２１０  空調条件入力部、２１１  運転モード切換ボタン、２１２  運転開始終了ボタン、２１３  温度設定ボタン、２１４  吹出設定ボタン、２２０  空調状況画像請求部、２２１  見える化ボタン、２２２  表示方式変更ボタン、２２３  表示速度変更ボタン、２２４  表示時刻戻りボタン、２２５  表示時刻固定ボタン、２２６  表示時刻進みボタン、２２７  表示時間設定ボタン、２３０  リモコン交信部、２４０  表示部、２５０  時間バー、２６０  表示時刻枠、２７０  表示時刻カーソル、２８０  温度バー、２８１  高温範囲、２８２  中温範囲、２８３  低温範囲、２８４  低温範囲、２８５  中温範囲、２８６  高温範囲、２９０  運転モード枠、３００  室内機（実施の形態２）、４００  リモコン（実施の形態２）、９００  室内、９０１Ａ  設置壁面、９０１Ｃ  対向壁面、９０１Ｌ  左壁面、９０１Ｒ  右壁面、９０２Ｌ  垂直線、９０２Ｒ  垂直線、９０３  床面、９０４Ａ  水平線、９０４Ｃ  水平線、９０４Ｌ  傾斜線、９０４Ｒ  傾斜線、９０５Ｌ  垂直線、９０５Ｒ  垂直線。
【図１】
2014102005.tif 000003
【図２】
2014102005.tif 000004
【図３】
2014102005.tif 000005
【図４】
2014102005.tif 000006
【図５】
2014102005.tif 000007
【図６】
2014102005.tif 000008
【図７】
2014102005.tif 000009
【図８ａ】
2014102005.tif 000010
【図８ｂ】
2014102005.tif 000011
【図９ａ】
2014102005.tif 000012
【図９ｂ】
2014102005.tif 000013
【図１０ａ】
2014102005.tif 000014
【図１０ｂ】
2014102005.tif 000015
【図１１ａ】
2014102005.tif 000016
【図１１ｂ】
2014102005.tif 000017
【図１２】
2014102005.tif 000018
【図１３】
2014102005.tif 000019
【図１４】
2014102005.tif 000020
【図１５】
2014102005.tif 000021
【図１６】
2014102005.tif 000022
【図１７】
2014102005.tif 000023
【図１８ａ】
2014102005.tif 000024
【図１８ｂ】
2014102005.tif 000025
【図１９ａ】
2014102005.tif 000026
【図１９ｂ】
2014102005.tif 000027